(57)【要約】【課題】複数の種類のカメラ本体に対して汎用的に取付可能なアクセサリを提供する。【解決手段】アダプタ（３００）を介してカメラ本体（１００）に取付可能なアクセサリ（２００）であって、アダプタに接触する本体部（２２４）と、アダプタに形成された貫通穴（３０２、５０１、７０１）を介してカメラ本体のネジ穴（１０９）に螺合可能なネジ（２０７）と、本体部に対してネジを移動させる操作部（リング２０４）とを有し、ネジは、ユーザによる操作部の操作に応じて、カメラ本体の光軸に沿った方向および光軸に直交する方向を含む複数の方向に移動可能である。【選択図】図２
2020038277.tif 000002
【特許請求の範囲】
【請求項１】
アダプタを介してカメラ本体に取付可能なアクセサリであって、
前記アダプタに接触する本体部と、
前記アダプタに形成された貫通穴を介して前記カメラ本体のネジ穴に螺合可能なネジと、
前記本体部に対して前記ネジを移動させる操作部と、を有し、
前記ネジは、ユーザによる前記操作部の操作に応じて、前記カメラ本体の光軸に沿った方向および前記光軸に直交する方向を含む複数の方向に移動可能であることを特徴とするアクセサリ。
【請求項２】
前記ネジは、
前記ネジ穴に螺合可能な雄ネジ部と、
前記アダプタの前記貫通穴に嵌合する円筒部と、を有することを特徴とする請求項１に記載のアクセサリ。
【請求項３】
前記円筒部は、前記貫通穴に嵌合することにより位置規制されることを特徴とする請求項２に記載のアクセサリ。
【請求項４】
前記アダプタとの位置決めを行う位置決め手段と、
前記アダプタに固定される係合部と、を更に有することを特徴とする請求項１乃至３のいずれか１項に記載のアクセサリ。
【請求項５】
ユーザにより保持されるグリップ部を更に有することを特徴とする請求項１乃至４のいずれか１項に記載のアクセサリ。
【請求項６】
前記グリップ部は、前記カメラ本体が縦位置にある場合に前記ユーザにより保持されることを特徴とする請求項５に記載のアクセサリ。
【請求項７】
前記カメラ本体の操作を行うためにユーザにより操作される第２の操作部を更に有することを特徴とする請求項１乃至６のいずれか１項に記載のアクセサリ。
【請求項８】
電池を収納する電池収納部を更に有することを特徴とする請求項１乃至７のいずれか１項に記載のアクセサリ。
【請求項９】
前記操作部は、第１のギヤ部を有し、
前記ネジは、前記第１のギヤの回転が伝達される第２のギヤ部を有することを特徴とする請求項１乃至８のいずれか１項に記載のアクセサリ。
【請求項１０】
バッテリグリップとカメラ本体との間に取付可能なアクセサリであって、
前記カメラ本体に接触する本体部と、
前記カメラ本体との位置決めを行う位置決め手段と、を有し、
前記本体部には、前記バッテリグリップと前記カメラ本体とを固定するためにバッテリグリップのネジが挿入される貫通穴が形成されていることを特徴とするアクセサリ。
【請求項１１】
前記貫通穴の中心軸は、前記位置決め手段により前記カメラ本体との位置決めが行われた後、前記カメラ本体のネジ穴の中心軸と一致することを特徴とする請求項１０に記載のアクセサリ。
【請求項１２】
前記貫通穴の径は、前記バッテリグリップの前記ネジの径よりも大きいことを特徴とする請求項１０または１１に記載のアクセサリ。
【請求項１３】
前記バッテリグリップとの位置決めを行う第２の位置決め手段と、
前記バッテリグリップを固定する被係合部と、を更に有することを特徴とする請求項１０乃至１２のいずれか１項に記載のアクセサリ。
【請求項１４】
前記カメラ本体と前記バッテリグリップとを電気的に接続する接点部を更に有することを特徴とする請求項１０乃至１３のいずれか１項に記載のアクセサリ。
【請求項１５】
カメラ本体と、
請求項１乃至１４のいずれか１項に記載のアクセサリと、を有することを特徴とするカメラシステム。
【発明の詳細な説明】
【技術分野】
【０００１】
本発明は、カメラに取り付け可能なアクセサリに関する。
【背景技術】
【０００２】
特許文献１には、カメラ本体を縦位置で撮影する際、ユーザが縦位置でも正位置と同様なホールディング性を実現するため、カメラ本体に取付可能なカメラアクセサリ（バッテリグリップ）が開示されている。
【先行技術文献】
【特許文献】
【０００３】
【特許文献１】特開２０１３−０６４９２９号公報
【発明の概要】
【発明が解決しようとする課題】
【０００４】
ところで、バッテリグリップは、三脚ネジ部を介してカメラ本体に取り付けられ、また、カメラ本体に対して電源の供給や信号の伝達のための接合部を有する。一方、三脚ネジ部と接合部との位置関係や構成は、カメラ本体の種類に応じて異なる場合が多い。このため、カメラの種類ごとに対応するバッテリグリップを提供する必要がある。その結果、ユーザにとっては、カメラ本体の種類ごとに対応するバッテリグリップを購入する必要があるとともに、それらの保管場所を確保する必要も生じる。以上の理由により、複数の種類のカメラ本体に対して汎用的に使用可能なバッテリグリップが要求されている。
【０００５】
そこで本発明は、複数の種類のカメラ本体に対して汎用的に取付可能なアクセサリおよびカメラシステムを提供することを目的とする。
【課題を解決するための手段】
【０００６】
本発明の一側面としてのアクセサリは、アダプタを介してカメラ本体に取付可能なアクセサリであって、前記アダプタに接触する本体部と、前記アダプタに形成された貫通穴を介して前記カメラ本体のネジ穴に螺合可能なネジと、前記本体部に対して前記ネジを移動させる操作部とを有し、前記ネジは、ユーザによる前記操作部の操作に応じて、前記カメラ本体の光軸に沿った方向および前記光軸に直交する方向を含む複数の方向に移動可能である。
【０００７】
本発明の他の側面としてのアクセサリは、バッテリグリップとカメラ本体との間に取付可能なアクセサリであって、前記カメラ本体に接触する本体部と、前記カメラ本体との位置決めを行う位置決め手段とを有し、前記本体部には、前記バッテリグリップと前記カメラ本体とを固定するためにバッテリグリップのネジが挿入される貫通穴が形成されている。
【０００８】
本発明の他の側面としてのカメラシステムは、カメラ本体と前記アクセサリとを有する。
【０００９】
本発明の他の目的及び特徴は、以下の実施形態において説明される。
【発明の効果】
【００１０】
本発明によれば、複数の種類のカメラ本体に対して汎用的に取付可能なアクセサリおよびカメラシステムを提供することができる。
【図面の簡単な説明】
【００１１】
【図１】本実施形態におけるカメラシステムの正面図である。
【図２】本実施形態におけるカメラシステムの斜視図である。
【図３】本実施形態におけるバッテリグリップの斜視図である。
【図４】本実施形態におけるネジ移動ユニットの側面図である。
【図５】本実施形態におけるバッテリグリップフレームの斜視図である。
【図６】本実施形態におけるネジ移動ユニットの周辺の断面図である。
【図７】本実施形態におけるネジ移動ユニットの斜視図および分解斜視図である。
【図８】本実施形態におけるネジの平面図および断面図である。
【図９】本実施形態における締め付けリング上でのギヤ部の噛み合い状態を示す上面図である。
【図１０】本実施形態における別のカメラシステムの正面図である。
【図１１】本実施形態における別のカメラシステムの分解図である。
【図１２】本実施形態におけるさらに別のカメラシステムの正面図である。
【図１３】本実施形態におけるさらに別のカメラシステムの分解図である。
【図１４】本実施形態における第１のアダプタ、第２のアダプタ、および、第３のアダプタの上面図である。
【発明を実施するための形態】
【００１２】
以下、本発明の実施形態について、図面を参照しながら詳細に説明する。各図において、同一の部材については同一の参照符号を付し、重複する説明は省略する。
【００１３】
まず、図１および図２を参照して、本実施形態におけるアクセサリ（バッテリグリップおよびアダプタ）とそれが着脱可能なカメラ本体（撮像装置）とを備えて構成されるカメラシステムについて説明する。図１は、本実施形態におけるカメラシステム１０の正面図である。カメラシステム１０は、カメラ本体（第１のカメラ本体）１００、バッテリグリップ２００、および、アダプタ（第２のアダプタ）３００を備えて構成される。アダプタ３００は、バッテリグリップ２００をカメラ本体１００に接続するために設けられている。図１は、カメラ本体１００に対して、アダプタ３００を介してバッテリグリップ２００が取り付けられている状態を示している。図２（ａ）、（ｂ）は、互いに異なる方向から見たカメラシステム１０の斜視図であり、カメラ本体１００からアダプタ３００およびバッテリグリップ２００がそれぞれ取り外されている状態を示している。
【００１４】
本実施形態において、カメラ本体１００は、例えばデジタルカメラであるが、銀塩カメラまたはビデオカメラ等の他のカメラであってもよい。また本実施形態において、アクセサリ（カメラアクセサリ）の例としてバッテリグリップ２００を説明するが、電源供給機能のない縦位置グリップ等の他のアクセサリであってもよい。
【００１５】
カメラ本体１００のグリップ部の上方には、レリーズスイッチ１０１、操作ダイアル１０２、および、操作スイッチ１０３が設けられており、撮影基本操作を行うことが可能である。また、カメラ本体１００には撮影レンズ（交換レンズ）１０４が着脱可能に取り付けられている。なお本実施形態において、撮影レンズ１０４はカメラ本体１００に対して着脱可能であるが、これに限定されるものではない。本実施形態は、撮影レンズ１０４とカメラ本体１００とが一体的に構成された撮像装置にも適用可能である。
【００１６】
バッテリグリップ２００は、アダプタ３００を取り付けることにより、カメラ本体１００に接続され、カメラ本体１００に対して固定および電気的に接続され、撮影基本操作や電力供給が可能である。バッテリグリップ２００には、縦位置撮影時用のレリーズスイッチ２０１、操作ダイアル２０２、および、操作スイッチ２０３（まとめて、第２の操作部という）が設けられている。またバッテリグリップ２００には、グリップ部２０６が設けられている。グリップ部２０６の内部には、バッテリマガジン（電池収納部）２０５が装填されており、カメラ本体１００への電源供給が可能である。またバッテリグリップ２００には、締め付けリング（操作部）２０４が設けられている。締め付けリング２０４を回して三脚ネジでの螺合を操作することにより、バッテリグリップ２００のカメラ本体１００への取り付けおよび取り外しを行うことができる。バッテリグリップ２００は、カメラ本体１００の種類に応じて異なるアダプタ３００を取り付けることにより、取り付け部や電気的接続部の位置が異なる複数の種類のカメラ本体１００に対して適用可能である。
【００１７】
図２を参照して、接続構造の概略を説明する。バッテリグリップ２００は、締め付けリング２０４を回すことにより、三脚ネジ２０７が回動するような伝達機構を有する。三脚ネジ２０７の位置は、カメラ本体１００の光軸方向（光軸ＯＡに沿った方向）および光軸ＯＡに直交する方向のいずれにも移動可能である。バッテリグリップ２００とアダプタ３００とを合わせ、アダプタ３００のベース部（本体部）３０１に設けられた位置決め穴（第２の位置決め手段）３０５、３０６にバッテリグリップ２００に設けられた位置決めボス（位置決め手段）２０８、２０９が嵌合する。これにより、互いの相対位置が決定する。また、三脚ネジ２０７の雄ネジ部２０７ａの下部に設けられた円筒部２０７ｂがアダプタのベース部３０１に設けられた位置決め穴（貫通穴）３０２に嵌合することで、三脚ネジ２０７のラジアル方向の位置が固定される。
【００１８】
バッテリグリップ２００に設けられた係合フック（係合部）２１０、２１１は、アダプタ３００の被係合部３０８、３０７とそれぞれ係合する。これによりアダプタ３００は、バッテリグリップ２００に対して、三脚ネジ２０７のスラスト方向の位置が固定される。このとき、アダプタ３００にベース部３０１の底面側に設けられた接続端子３１２がバッテリグリップ２００の天面側に設けられた接続端子２１２に接合される。これにより、アダプタ３００とバッテリグリップ２００とが電気的に接続される。アダプタ３００は、接続ベース３０９の内部において、不図示のＦＰＣおよびリード線により、接続端子３１２から信号端子３１０および電源端子３１１へ電気的に接続されており、カメラ本体１００との電気接続を可能にしている。
【００１９】
バッテリグリップ２００とアダプタ３００とを接続固定した後、カメラ本体１００に対して、アダプタ３００が取り付けられたバッテリグリップ２００を固定する。このとき、アダプタ３００のベース部３０１の天面に設けられた位置決めボス（位置決め手段）３０３、３０４がカメラ本体１００の底面に設けられた位置決め穴１０７、１０８へ係合し、アダプタ３００とカメラ本体１００との位置合わせが行われる。このような構成により、アダプタ３００上で、バッテリグリップ２００の三脚ネジ２０７がカメラ本体１００の三脚ネジ穴１０９に対して位置決めされる。そして、カメラ本体１００のバッテリボックス部１０５の内部へ、アダプタ３００の接続ベース３０９が侵入し、信号端子３１０および電源端子３１１がカメラ本体１００の内部の制御基板上の接点と圧接する。これにより、バッテリグリップ２００は、アダプタ３００を介して、カメラ本体１００との電気的な接続が完了する。
【００２０】
次に、図３を参照して、本実施形態におけるカメラ付属品（アクセサリ）であるバッテリグリップ２００の構成について詳述する。図３は、バッテリグリップ２００の斜視図である。図３（ａ）はバッテリグリップ２００に、バッテリマガジン２０５を装填する直前の状態を斜め上方から見た図、図３（ｂ）は斜め下方（底面側）から見た図をそれぞれ示している。本実施形態において、バッテリグリップ２００のバッテリマガジン（電池収納部）２０５は、単三型乾電池を収納可能なセルが４カ所設けられており、また、それぞれのセルの両端に接点部２１３が設けられている。各接点から、マガジンコネクタ２１４に不図示のＦＰＣを通じて導通させている。バッテリマガジン２０５が装填されると、バッテリグリップ２００内の不図示のコネクタ部に接続され、接続端子（コネクタ）２１２に導通され、バッテリグリップ２００が電源供給可能な状態になる。
【００２１】
バッテリグリップ２００の底面側には、バッテリグリップ２００を接続させた状態で、カメラ本体１００を正位置状態で三脚等に固定するための三脚ネジ穴部２３４が設けられている。また、縦位置状態でストラップを取り付けられるように、ストラップ止め具２１４が縦位置にしたときの側面上方になる位置に設けられている。また、カメラ本体１００に接続した際の、接眼側の上方部には、カメラ本体１００の操作の一部を行うための操作スイッチ（第２の操作部）２１５が設けられている。背面側における締め付けリング２０４の脇には、ロックレバー２１６が設けられており、不図示のリンク機構が、係合フック２１０、２１１の被係合部３０８、３０７への係合状態を維持するために接触、離間解除を切り替えることが可能である。また、ロックレバー２１６は、バッテリグリップ２００内部に設けたスイッチと接触、離間が可能であり、電気的にロック状態と非ロック状態を検出することができる。このような構成により、バッテリグリップ２００は、ロック状態でのみ動作させることが可能となる。
【００２２】
次に図４乃至図９を参照して、三脚ネジ２０７の三脚ネジ移動ユニット（移動機構）２３６について説明する。図４は、三脚ネジ移動ユニット２３６の側面図である。三脚ネジ移動ユニット２３６は、上部フレーム２１７と下部フレーム２１８とを備えて構成される枠体に、締め付けリング２０４が回動可能に支持されている。三脚ネジ２０７は、下部にギヤ部（第２のギヤ部）２０７ｃが形成されており、締め付けリング２０４と同軸で同期回転するギヤからの伝達により回動可能である。また三脚ネジ２０７は、締め付けリング２０４上に位置し、回動可能でかつ、締め付けリング２０４の回動中心を中心として、移動可能に支持されている。なお、締め付けリング２０４上での三脚ネジ２０７の移動機構の詳細については、図７乃至図９を参照して後述する。下部フレーム２１８の底面には、円筒上の突起２２１、２２２が設けられている。また、上部フレーム２１７と下部フレーム２１８は、側面部をビス２１９、２２０により締め付け固定されている。
【００２３】
図５は、三脚ネジ移動ユニット２３６を移動可能に載置するバッテリグリップフレーム２２３の斜視図である。バッテリグリップフレーム２２３は、バッテリグリップ２００の内部において、バッテリマガジン２０５の収納部を覆うように形成された枠体を構成する板金部品である。バッテリグリップフレーム２２３の天面部には、長穴２２３ａ、２２３ｂが設けられており、長穴２２３ａ、２２３ｂの直線部が互いに平行になるように開けられている。
【００２４】
図６は、バッテリグリップ２００内における三脚ネジ移動ユニット２３６の周辺の断面図である。２２４は、バッテリグリップ２００の天板部品（本体部）である。三脚ネジ移動ユニット２３６の上面は、天板部品２２４に対して、また下面はバッテリグリップフレーム２２３に対して移動可能に規制されている。バッテリグリップフレーム２２３の天面部の長穴２２３ａには突起２２１が嵌合し、長穴２２３ｂには突起２２２が嵌合している。このため三脚ネジ移動ユニット２３６は、長穴２２３ａ、２２３ｂに沿って、平行移動が可能である。
【００２５】
図７（ａ）は三脚ネジ移動ユニット２３６の斜視図、図７（ｂ）は三脚ネジ移動ユニット２３６の分解斜視図である。上部フレーム２１７には穴２１７ａが形成されており、三脚ネジ２０７の位置を規制するように構成されている。また、締め付けリング２０４の回動中心に相当する位置にも穴が形成されており、その穴にはビス２２５が通り、締め付け可能である。締め付けリング２０４は、回転ベース２２８の丸穴２２８ａがギヤ部（第１のギヤ部）２２７の下部に設けられた円筒部に嵌められた状態で、３個のビス２３２によってギヤ部２２７に固定されている。このため締め付けリング２０４は、ギヤ部２２７と同期回転する。上部フレーム２１７と下部フレーム２１８との間で、回動軸２２６がギヤ部２２７の中心に開けられた回動軸穴に嵌められることで、締め付けリング２０４およびギヤ部２２７が回動軸２２６を中心に回動可能に支持される。また、回転ベース２２８上には、カシメ軸２３０がギヤ部２２９の中央軸穴を通貫して加締められている。このためギヤ部２２９は、回転ベース２２８上で、ギヤ部２２７と噛み合い、回転伝達可能な位置に回動可能に支持されている。
【００２６】
図８（ａ）は、三脚ネジ２０７の平面図である。図８（ｂ）は、図８（ａ）中の線Ａ−Ａに沿って切断した断面図である。三脚ネジ２０７には、雄ネジ部２０７ａの下部に円筒部２０７ｂが設けられており、さらにその下部にギヤ部２０７ｃが設けられている。また、雄ネジ部２０７ａの下部の内側には、その中心部に回動軸穴２０７ｄが設けられている。回動軸穴２０７ｄが回転ベース２２８上の円筒突起２２８ｂと嵌合することで、三脚ネジ２０７は、回転ベース２２８上においてギヤ部２０７ｃがギヤ部２２９と噛み合い、回転伝達可能な位置に回動可能に支持される。三脚ネジ２０７のギヤ部２０７ｃ上には、目隠しリング２３１が載せられている。目隠しリング２３１は、ギヤ部２０７ｃの歯部が上部フレーム２１７の穴２１７ａから見えないように、ギヤ部２０７ｃの歯部を覆っている。
【００２７】
図９は、締め付けリング２０４上でのギヤ部２２７、２２９、２０７ｃの噛み合い状態を示す上面図である。ギヤ部２２７は、締め付けリング２０４と同期して回転する。このため、締め付けリング２０４が回転すると、ギヤ部２２７を介してギヤ部２２９、２０７ｃへ回転が伝達され、三脚ネジ２０７が回る。ただし、ギヤ部２２９と三脚ネジ２０７は、回転ベース２２８上に回動可能に支持されている。このため、このままの状態で締め付けリング２０４が回転すると、回転ベース２２８ごと回動軸２２６を中心に（二点鎖線２３３に沿って）移動するだけで三脚ネジ２０７を中心に回転することはできない。一方、前述のように、アダプタ３００を組み付けることで、三脚ネジ２０７の円筒部２０７ｂは、アダプタ３００のベース部３０１に設けられた位置決め穴３０２に嵌合して位置規制されることで、回転ベース２２８の移動は規制される。これにより、締め付けリング２０４の回転は、ギヤ部２２７を介してギヤ部２２９、２０７ｃへ伝達され、三脚ネジ２０７をその軸中心で回転させることができる。
【００２８】
以上のように、バッテリグリップ２００の三脚ネジ２０７は、カメラ本体１００に取り付けた際に、光軸方向および光軸と直交する方向の２軸方向に移動可能に構成されている。また、バッテリグリップ２００をアダプタ３００と組み合わせることにより、カメラ本体１００に合わせた位置に三脚ネジ２０７の位置を決めることができ、締め付けリング２０４により締め付け操作も可能になる。
【００２９】
次に、図１０乃至図１４を参照して、バッテリグリップ２００が複数の種類のカメラ本体に適用可能であることを説明する。図１０は、別のカメラシステム１０ａの正面図である。カメラシステム１０ａは、カメラ本体（第１のカメラ本体）１００およびアダプタ（第１のアダプタ）３００とはそれぞれ異なるカメラ本体（第２のカメラ本体）４００およびアダプタ（第２のアダプタ）５００と、バッテリグリップ２００とを備えて構成される。図１１は、カメラシステム１０ａ（カメラ本体４００、アダプタ５００、バッテリグリップ２００）の分解図である。
【００３０】
カメラ本体４００は、カメラ本体１００よりも少し外形が大きい。このため、バッテリグリップ２００とのバランスをとって、カメラ本体１００とバッテリグリップ２００との位置関係に対して図１１中の右方向にずらした位置で固定されるように、アダプタ５００の位置決めボス５０２、５０３の位置が設定されている。それに合わせて、三脚ネジ穴４０１に螺合可能になるように、位置決め穴５０１の位置が設定されている。また、このとき、カメラ本体４００への電気的な接続が可能になるように、接続ベース５０４および接続端子５０５の位置が設定されている。アダプタベース部５１１の外形形状は、カメラ本体４００との外形が合うように、アダプタ３００とは異なる。ただし、バッテリグリップ２００との位置決め機構、係合部、および、電気接続端子等は、アダプタ３００と合わせている。
【００３１】
図１１に示されるように、カメラ本体４００には、カメラ本体１００の位置決め穴１０７、１０８と同様に、位置決め穴４０３、４０２が設けられている。アダプタ５００には、アダプタ３００の位置決め穴３０５、３０６と同様に、位置決め穴５０７、５０８が設けられている。またアダプタ５００には、アダプタ３００の被係合部３０７、３０８と同様に、被係合部５０９、５１０が設けられている。
【００３２】
図１２は、更に別のカメラシステム１０ｂの正面図である。カメラシステム１０ｂは、カメラ本体（第２のカメラ本体）４００およびアダプタ（第２のアダプタ）５００とはそれぞれ異なるカメラ本体（第３のカメラ本体）６００およびアダプタ（第３のアダプタ）７００と、バッテリグリップ２００とを備えて構成される。図１３は、カメラシステム１０ｂ（カメラ本体６００、アダプタ７００、バッテリグリップ２００）の分解図である。
【００３３】
カメラ本体６００は、カメラ本体１００よりも少し外形が小さい。このため、バッテリグリップ２００とのバランスをとって、カメラ本体１００とバッテリグリップ２００との位置関係に対して図１３中の左方向にずらして中央に寄せた位置で固定されるように、アダプタ７００の位置決めボス７０２、７０３の位置が設定されている。また、カメラ本体６００の光軸方向の位置は、カメラ本体１００とバッテリグリップ２００との位置関係に対して、やや前方になるように位置決めされている。それに合わせて、三脚ネジ穴６０１に螺合可能になるように、位置決め穴７０１の位置が設定されている。また、このときに、カメラ本体６００への電気的な接続が可能になるように、接続端子７０４、接続ベース７０５の位置が設定されている。
【００３４】
カメラ本体６００は、専用のバッテリの装着姿勢が、カメラ本体１００と９０°異なる仕様であるため、アダプタ７００の接続端子７０４および接続ベース７０５の位置は、アダプタ３００、５００とは大きく異なる。また、アダプタベース部７１１の外形形状は、カメラ本体６００との外形が合うように、アダプタ３００、５００と異なる。ただし、バッテリグリップ２００との位置決め機構、係合部、および、電気接続端子等は、アダプタ３００、５００と合わせている。
【００３５】
図１３に示されるように、カメラ本体６００には、カメラ本体１００の位置決め穴１０７、１０８と同様に、位置決め穴６０３、６０２が設けられている。アダプタ７００には、アダプタ３００の位置決め穴３０５、３０６と同様に、位置決め穴７０７、７０８が設けられている。またアダプタ７００には、アダプタ３００の被係合部３０７、３０８と同様に、被係合部７０９、７１０が設けられている。
【００３６】
図１４は、アダプタ２００、５００、７００の上面図である。図１４に示されるように、使用するカメラ本体１００、４００、６００に合わせて、接続部、三脚ネジ穴の位置、および、カメラ本体との位置決め機構等の構成をアダプタにおいて変更する。これによりバッテリグリップ２００は、複数の種類のカメラ本体に対応可能である。また、バッテリグリップ２００において、三脚ネジの位置をアダプタに合わせて移動可能に構成することにより、アダプタにおけるカメラ本体への取り付け構造を削除し、位置決め機能および電気的な接続機能だけに単純化することができる。これにより、カメラ本体ごとに変更する必要があるアダプタと比較して、アダプタのコストを低減することが可能である。またバッテリグリップ２００は、三脚ネジ部を移動可能に構成し、および、アダプタへの簡単な接続機構のみを設けるだけで、複数の種類のカメラ本体に対して汎用的に使用することができる。
【００３７】
このように本実施形態のアクセサリは、アダプタ３００（５００、７００）を介してカメラ本体１００（４００、６００）に取付可能なアクセサリ（バッテリグリップ２００）である。またアクセサリは、本体部（天板部品２２４）、ネジ（三脚ネジ２０７）、および、操作部（締め付けリング２０４）を有する。本体部は、アダプタに接触する。ネジは、アダプタに形成された貫通穴（位置決め穴３０２、５０１、７０１）を介してカメラ本体のネジ穴（三脚ネジ穴１０９）に螺合可能である。操作部は、本体部に対してネジを移動させる。ネジは、ユーザによる操作部の操作に応じて、カメラ本体の光軸に沿った方向および光軸に直交する方向を含む複数の方向に移動可能である。
【００３８】
好ましくは、ネジは、三脚ネジ穴に螺合可能な雄ネジ部２０７ａと、アダプタの貫通穴に嵌合する円筒部２０７ｂとを有する。より好ましくは、円筒部は、貫通穴に嵌合することにより位置規制される。また好ましくは、アクセサリは、アダプタとの位置決めを行う位置決め手段（位置決めボス２０８、２０９）と、アダプタに固定される係合部（係合フック２１０、２１１）とを有する。また好ましくは、アクセサリは、ユーザにより保持されるグリップ部２０６を有する。より好ましくは、グリップ部は、カメラ本体が縦位置にある場合にユーザにより保持される。
【００３９】
好ましくは、アクセサリは、カメラ本体の操作を行うためにユーザにより操作される第２の操作部（レリーズスイッチ２０１、操作ダイアル２０２、操作スイッチ２０３、操作スイッチ２１５）を有する。また好ましくは、アクセサリは、電池を収納する電池収納部（バッテリマガジン２０５）を有する。また好ましくは、操作部は、第１のギヤ部（ギヤ部２２７）を有し、ネジは、第１のギヤの回転が伝達される第２のギヤ部（ギヤ部２０７ｃ）を有する。
【００４０】
また本実施形態のアクセサリは、バッテリグリップとカメラ本体との間に取付可能なアクセサリ（アダプタ３００、５００、７００）であって、本体部（ベース部３０１）および位置決め手段（位置決めボス３０３、３０４）を有する。本体部は、カメラ本体に接触する。位置決め手段は、カメラ本体との位置決めを行う。本体部には、バッテリグリップとカメラ本体とを固定するためにバッテリグリップのネジが挿入される貫通穴（位置決め穴３０２、５０１、７０１）が形成されている。
【００４１】
好ましくは、貫通穴の中心軸は、位置決め手段によりカメラ本体との位置決めが行われた後、カメラ本体のネジ穴（三脚ネジ穴１０９）の中心軸と一致する。また好ましくは、貫通穴の径は、バッテリグリップのネジの径よりも大きい。また好ましくは、アクセサリは、バッテリグリップとの位置決めを行う第２の位置決め手段（位置決め穴３０５、３０６）と、バッテリグリップを固定する被係合部３０７、３０８とを有する。また好ましくは、アクセサリは、カメラ本体とバッテリグリップとを電気的に接続する接点部（信号端子３１０、接続端子３１２）を有する。
【００４２】
本実施形態は、カメラ本体の付属品（バッテリグリップ）の固定手段（三脚ネジ部）を移動可能かつ操作可能に構成し、アダプタとの簡単な接合機構を採用する。このような構成により、複数の種類のカメラ本体に対する組み付けがアダプタのみの変更で可能となる。その結果、開発コストおよび製造コストの削減、並びに、複数の種類のカメラ本体を使用する際のコストダウンが可能となる。このため本実施形態によれば、簡易かつ安価な構成で、複数の種類のカメラ本体に対して汎用的に取付可能なアクセサリおよびカメラシステムを提供することができる。
【００４３】
以上、本発明の好ましい実施形態について説明したが、本発明はこれらの実施形態に限定されず、その要旨の範囲内で種々の変形及び変更が可能である。
【００４４】
例えば、本実施形態では、カメラ本体の付属品（アクセサリ）であるバッテリグリップとアダプタとの間に簡単な係合機構を設けているが、付属品とアダプタと間を固定する係合機構がなくても、カメラ本体への取り付けは可能である。また本実施形態では、同一の専用バッテリを使用する複数の種類のカメラ本体への汎用性を説明したが、異なる形状のバッテリ対応機種であっても、アダプタがそれに応じて形状や仕様を変更することで対応可能である。
【符号の説明】
【００４５】
２００  バッテリグリップ（アクセサリ）
２０４  締め付けリング（操作部）
２０７  三脚ネジ（ネジ）
２２４  天板部品（本体部）
【図１】
2020038277.tif 000003
【図２】
2020038277.tif 000004
【図３】
2020038277.tif 000005
【図４】
2020038277.tif 000006
【図５】
2020038277.tif 000007
【図６】
2020038277.tif 000008
【図７】
2020038277.tif 000009
【図８】
2020038277.tif 000010
【図９】
2020038277.tif 000011
【図１０】
2020038277.tif 000012
【図１１】
2020038277.tif 000013
【図１２】
2020038277.tif 000014
【図１３】
2020038277.tif 000015
【図１４】
2020038277.tif 000016